(57)【要約】【課題】傾斜角度を自由かつ容易に調整することができる携帯情報端末用支持具を提供すること。【解決手段】袋内に粒子状の充填材が封入されてなる変形可能な袋体と、タッチパネル方式の携帯情報端末の裏面と密着可能に前記袋体に設けられた密着部材とを備え、  携帯情報端末の裏面に前記密着部材を直に密着させた状態の前記袋体にて携帯情報端末を支持するように構成されたことを特徴とする携帯情報端末用支持具。【選択図】図３
2014103444.tif 000002
【特許請求の範囲】
【請求項１】
袋内に粒子状の充填材が封入されてなる変形可能な袋体と、タッチパネル方式の携帯情報端末の裏面と密着可能に前記袋体に設けられた密着部材とを備え、
携帯情報端末の裏面に前記密着部材を直に密着させた状態の前記袋体にて携帯情報端末を支持するように構成されたことを特徴とする携帯情報端末用支持具。
【請求項２】
前記密着部材が、前記袋体の外面に取り付けられた吸盤部材からなる請求項１に記載の携帯情報端末用支持具。
【請求項３】
前記密着部材が、前記袋体の外面に貼り付けられた滑り止めシート材からなる請求項１に記載の携帯情報端末用支持具。
【請求項４】
前記携帯情報端末が、タッチパネル方式の携帯電話であり、
前記袋体が、１５〜１８０ｃｍ3の体積を有する請求項２に記載の携帯情報端末用支持具。
【請求項５】
前記携帯情報端末が、タッチパネル方式のタブレット型端末であり、
前記袋体が、１８０〜４２００ｃｍ3の体積を有する請求項３に記載の携帯情報端末用支持具。
【請求項６】
前記袋体が、前記密着部材の位置と反対側の位置にクリーニングシート材を有する請求項１〜５いずれか１つに記載の携帯情報端末用支持具。
【請求項７】
前記袋体が、前記密着部材の位置と反対側の位置に滑り止め部材を有する請求項１〜６いずれか１つに記載の携帯情報端末用支持具。
【請求項８】
前記袋における少なくとも前記密着部材側が伸縮性の生地からなる請求項１〜７のいずれか１つに記載の携帯情報端末用支持具。
【発明の詳細な説明】
【技術分野】
【０００１】
本発明は、携帯情報端末用支持具に関する。
【背景技術】
【０００２】
所謂「スマートフォン」や「タブレット型端末」と呼ばれるタッチパネル方式の携帯情報端末を用いることにより、インターネットを介して検索した静止画や動画を視聴することができる。卓上に携帯情報端末を平置きして覗き込むように画像を視ると、室内の天井にある照明の光が画面を反射して視にくくなるといった不具合や、覗き込んだ姿勢を長時間続けると疲れるといった不具合が生じる。そのため、携帯情報端末の裏面に取り付けて携帯情報端末を卓上で立てかけることができるスタンドが用いられことが多い。
【０００３】
従来のスマートフォン用のスタンドとして、例えば、特許文献１には、漫画キャラクター、人形、乗物、建物、道具、野菜、果物、若しくは動物の形をしたスタンド本体と、スタンド本体に設けられた吸盤とを備えたものが提案されている。このスタンドは、吸盤をスマートフォンの裏面に吸着させることによりスタンド本体をスマートフォンに固定し、スタンド本体にてスマートフォンを垂直に近い傾斜角度（水平に対して６０〜８０°程度）で支持するように構成されている。
【０００４】
また、特許文献１には、吸盤に代えて、柔らかいゲル状樹脂板を用いてもよい旨記載されている。この場合、柔らかいゲル状樹脂板とスマートフォンの裏面との大きな摩擦力によってスマートフォンの支持が可能である。
なお、特許文献１には、前記スタンド本体の材料、内部構造等についての記載はないが、スタンド本体は少なくともスマートフォンに押し潰されずに支持できるだけの剛性あるいは耐圧縮強度を有していると推測される。
【０００５】
また、従来のタブレット型端末用のスタンドとして、例えば、特許文献２には、タブレット型端末の不使用時には保護カバーの役割を担うものが提案されている。このスタンドは、相互に連結されて開閉可能な第１および第２プロテクトボードを備え、第１プロテクトボードは横方向の１本の溝状の曲折部を有し、第２プロテクトボードは横方向の複数の位置決め溝を有している。
【０００６】
特許文献２のスタンドを用いてタブレット型端末を立てかける場合、第１プロテクトボードの曲折部を折り曲げてタブレット型端末を傾け、タブレット型端末の下端を第２プロテクトボードの任意の位置決め溝に嵌め込むことにより、タブレット型端末が所定の傾斜角度で支持される。このとき、位置決め溝の選択によってタブレット型端末の傾斜角度を段階的に調整することができる。
【先行技術文献】
【特許文献】
【０００７】
【特許文献１】実用新案登録第３１７６５２２号
【特許文献２】実用新案登録第３１６４６４８号
【発明の概要】
【発明が解決しようとする課題】
【０００８】
スマートフォンの画像を視る場合、スマートフォンの画面は小さいため、例えば、オフィスのデスクやダイニングのテーブルといった卓上にスマートフォンを立てかけ、顔を画面に近づけて画像を視ることが多い。このとき、特許文献１の吸盤を有するスタンドを用いてスマートフォンを立てかけると、スマートフォンの傾斜角度は前記のように垂直に近い角度（６０〜８０°程度）となる。そのため、スマートフォンを使用者側へ近づけると、画面を斜め上から視ることになって視にくくなるが、特許文献１の吸盤を有するスタンドではスマートフォンの傾斜角度を調整することができない。したがって、使用者は視線を低くした姿勢でスマートフォンの画面を正面から視ることになり、背筋を伸ばした楽な姿勢で視ることが困難であった。なお、特許文献１の柔らかいゲル状樹脂板を有するスタンドを用いた場合、携帯情報端末の傾斜角度を小さくしようとすると、携帯情報端末の下端が卓上を滑り出し、スタンドが携帯情報端末と共に転倒してしまうことが予想される。
【０００９】
また、タブレット型端末の画像を視る場合、タブレット型端末の画面は比較的大きいため、例えば、ソファーで腰掛けながらリビングの低いテーブル上にタブレット型端末を立てかけて視ることがある。このとき、特許文献２のスタンドを用いると、タブレット型端末の傾斜角度を使用者の好みの角度に微調整することができない。そのため、ソファーにおける使用者の姿勢、例えば、前屈みの姿勢、深く座った姿勢、寝そべった姿勢等に応じた視やすい角度にタブレット型端末の傾斜角度を微調整することできない。
【００１０】
本発明はこのような課題に鑑みてなされたものであり、携帯情報端末を置くだけで傾斜角度を自由かつ容易に調整することができる携帯情報端末用支持具を提供することを目的とする。
【課題を解決するための手段】
【００１１】
かくして、本発明によれば、袋内に粒子状の充填材が封入されてなる変形可能な袋体と、タッチパネル方式の携帯情報端末の裏面と密着可能に前記袋体に設けられた密着部材とを備え、
携帯情報端末の裏面に前記密着部材を直に密着させた状態の前記袋体にて携帯情報端末を支持するように構成された携帯情報端末用支持具が提供される。
【発明の効果】
【００１２】
本発明の携帯情報端末用支持具によれば、内部に粒子状の充填材が封入された袋体はクッションのように自由に変形できるため、タッチパネル方式の携帯情報端末の裏面に密着部材を直に密着させた状態で、袋体にて携帯情報端末を全方位に様々な傾斜角度で支持することができる。すなわち、本発明の支持具によれば、支持具の上に携帯情報端末を置くだけで、携帯情報端末の傾斜角度を自由かつ容易に無段階で調整することができる。
また、本発明の支持具は携帯情報端末を安定して支持することができるため、支持具上に携帯情報端末を置いたままタッチパネル操作をすることが可能である。
また、この支持具は簡素な構成であるため、低コストにて製造できるメリットもある。
【図面の簡単な説明】
【００１３】
【図１（Ａ）】本発明の携帯情報端末用支持具の実施形態１を示す平面図である。
【図１（Ｂ）】実施形態１の支持具の正面図である。
【図１（Ｃ）】実施形態１の支持具の底面図である。
【図２】実施形態１の支持具をスマートフォンの裏面に貼り付けた状態を示す説明図である。
【図３】実施形態１の支持具を用いてスマートフォンをオフィスのデスク上に立てかけた状態を示す説明図である。
【図４（Ａ）】実施形態１の支持具を用いてスマートフォンを縦置きした状態を示す説明図である。
【図４（Ｂ）】実施形態１の支持具を用いてスマートフォンを横置きした状態を示す説明図である。
【図５】実施形態１の支持具がスマートフォンを全方位に傾けて支持できることを説明する図である。
【図６】実施形態１の支持具を介してスマートフォンを左手で持った状態を示す説明図である。
【図７】実施形態２の支持具の正面図である。
【図８】実施形態３の支持具の正面図である。
【図９】実施形態４の支持具の正面図である。
【図１０（Ａ）】実施形態５の支持具の平面図である。
【図１０（Ｂ）】実施形態５の支持具の正面図である。
【図１０（Ｃ）】実施形態５の支持具の底面図である。
【図１１】実施形態５の支持具を用いてタブレット型端末をリビングのテーブル上に立てかけた状態を示す説明図である。
【発明を実施するための形態】
【００１４】
本発明の携帯情報端末用支持具は、袋内に粒子状の充填材が封入されてなる変形可能な袋体と、タッチパネル方式の携帯情報端末の裏面と密着可能に前記袋体に設けられた密着部材とを備え、携帯情報端末の裏面に前記密着部材を直に密着させた状態の前記袋体にて携帯情報端末を支持するように構成されている。
【００１５】
本発明において、袋体の袋としては、特に限定されず、例えば、織物または編み物の生地からなる袋、プラスチックシートからなる袋、網袋等を用いることができる。
また、充填材としては、例えば、発泡樹脂粒子、ガラスビーズ、プラスチックビーズ、そば殻、木製ペレット、小石、砂等の粒子状の充填材が用いられる。
これらの中でも、織物または編み物の生地からなる袋内に粒子状の充填材を充填してなる袋体は、変形のしやすさ、変形させた状態の維持しやすさ、および良好な感触が得られる点で好ましく、特に、伸縮性を有する生地からなる袋内に発泡樹脂粒子（例えば、発泡ポリスチレン系樹脂粒子）を充填してなる袋体は顕著である。
【００１６】
本発明において、密着部材は、携帯情報端末を支持具にて支持した状態のときに、袋体が携帯情報端末の金属またはプラスチックからなる裏面に位置ずれしないように密着させるものである。
密着部材としては、例えば、吸盤部材または滑り止めシート材を用いることができる。滑り止めシート材の材質としては、滑り止め性に優れたエラストマー（各種のゴム）や発泡樹脂等が適しており、例えば、シリコーンゴムや発泡塩化ビニール樹脂が好適である。
【００１７】
密着部材として吸盤部材を用いれば、袋体を携帯情報端末の裏面に着脱可能に固定することができると共に、支持具を常時取り付けた状態で携帯情報端末を使用することもできる。携帯情報端末がタッチパネル方式の多機能携帯電話（以下、「スマートフォン」という）の場合、吸盤部材を有する支持具の使用が適しており、これについて詳しくは実施形態１〜４で説明する。
【００１８】
密着部材として滑り止めシート材を用いれば、滑り止めシート材と携帯情報端末の裏面との摩擦力によって、携帯情報端末がずれることなく袋体に寄りかかることができる。携帯情報端末がタッチパネル方式のタブレット型端末の場合、滑り止めシート材を有する支持具の使用が適しており、これについて詳しくは実施形態５で説明する。
【００１９】
また、本発明の支持具において、前記袋体が、前記密着部材の位置と反対側の位置にクリーニングシート材および／または滑り止め部材を有してもよい。これらについて詳しくは実施形態２〜４で説明する。
【００２０】
以下、図面を参照しながら本発明の携帯情報端末用支持具の実施形態を詳説する。
【００２１】
（実施形態１）
図１（Ａ）は本発明の携帯情報端末用支持具の実施形態１を示す平面図であり、図１（Ｂ）は実施形態１の支持具の正面図であり、図１（Ｃ）は実施形態１の支持具の底面図である。
実施形態１では、スマートフォン用の支持具１Ａを例示している。この支持具１Ａは、略球形の袋内に粒子状の充填材が封入されてなる変形可能な袋体２Ａと、袋体２Ａに設けられた密着部材としての吸盤部材３とを備える。
【００２２】
袋体２Ａは、１５〜１８０ｃｍ3程度の体積を有するサイズが適当である。
袋体２Ａを構成する袋は、例えば、２枚の円形の生地を縫い合わせて形成されている。このとき、袋体２Ａのサイズを考慮すれば、生地の大きさとしては、直径４〜８ｃｍ程度とすることができる。なお、図１（Ｂ）において、符号２ａは縫い目を表している。
【００２３】
袋体２Ａにおける袋の生地は、粒子状の充填材が通らない織り目または編み目を有していれば特に限定されないが、伸縮性を有していることが袋体２Ａの変形性を高められる上で好ましい。伸縮性を有する生地としては、例えば、ストレッチ試験で３０〜３００％の伸縮性を有する生地を用いることができ、具体的には、弾性を有するスパンデックス（ポリウレタン弾性糸）が挙げられる。なお、袋の一部が、伸縮性を有する生地にて構成されていてもよい。
【００２４】
袋体２Ａにおける粒子状の充填材としては、袋の生地の織り目または編み目を通らない大きさのものであれば特に限定されず、例えば、発泡樹脂粒子、ガラスビーズ、プラスチックビーズ、そば殻、木製ペレット、小石、砂等が挙げられる。これらの中でも、発泡樹脂粒子は、袋体２Ａを軽量化でき、袋体２Ａの反発力を抑えることができ、袋体２Ａの変形性および感触が良好となり、しかも、比較的低コストで得られるため好ましい。発泡樹脂粒子として、具体的には、平均粒子径０．３〜３．０ｍｍ程度の発泡ポリスチレン系樹脂粒子が好ましい。
【００２５】
なお、２枚の生地の縫い合わせて袋を作製する際、後から充填材を充填するために縫い合わせない箇所を１箇所残して充填口を形成し、その充填口にノズルを差し込んで袋内に充填材を充填した後、充填口を縫合すればよい。また、袋に短筒状の充填口を形成してもよく、このようにすれば充填後の充填口の縫合が容易となる。この場合、袋に突起部分が残るため、突起部分は袋体２Ａ内へ押し込めばよい。
【００２６】
吸盤部材３としては、例えば、直径２〜６ｃｍ程度の吸盤部分を有する市販品を用いることができる。吸盤部材３は、吸盤部分の凸曲面の中心位置に突起部を有しており、この突起部が袋体２Ａに埋め込まれるように縫い付けられている。このとき、袋体２Ａを構成する２枚の円形生地のうちの一方の生地の中心位置に吸盤部材３の突起部が縫い付けられる。なお、吸盤部材３は、袋作製前の一方の生地に縫い付けておけばよい。
【００２７】
図２は実施形態１の支持具１ＡをスマートフォンＰの裏面Ｐｂに貼り付けた状態を示す説明図であり、図３は実施形態１の支持具１Ａを用いてスマートフォンＰをオフィスのデスクＤ上に立てかけた状態を示す説明図である。また、図４（Ａ）は実施形態１の支持具１Ａを用いてスマートフォンＰを縦置きした状態を示す説明図であり、図４（Ｂ）は実施形態１の支持具１Ａを用いてスマートフォンＰを横置きした状態を示す説明図である。
【００２８】
実施形態１の支持具１Ａを用いてスマートフォンＰをデスクＤ上に立てかける際、図２に示すように、まず、吸盤部材３をスマートフォンＰの平坦な裏面Ｐｂに吸着（密着）させる。そして、図３に示すように、スマートフォンＰを支持具１Ａに凭れかけさせるようにしてデスクＤ上に置く。
【００２９】
このとき、スマートフォンＰの向きと傾斜角度を考慮した位置に吸盤部材３を吸着させる。例えば、スマートフォンＰを縦置きする場合は、図４（Ａ）に示すように、スマートフォンＰの裏面Ｐｂの下端位置に吸盤部材３を吸着させることにより、傾斜角度αを比較的大きくした状態で袋体２Ａにて容易にスマートフォンＰを支持することができる。また、図４（Ａ）において、二点鎖線で示すように、スマートフォンＰを袋体２Ａに押し付けることにより袋体２Ａが変形するため、傾斜角度αを小さく調整することも容易に行える。なお、図４（Ａ）の実線で示すスマートフォンＰの傾斜角度αよりも大きく調整することも可能である。
【００３０】
また、スマートフォンＰを横置きする場合は、図４（Ｂ）に示すように、スマートフォンＰの裏面Ｐｂの中央位置に吸盤部材３を吸着させることにより、傾斜角度αを比較的大きくした状態で袋体２Ａにて容易にスマートフォンＰを支持することができる。また、図４（Ｂ）において、二点鎖線で示すように、スマートフォンＰを袋体２Ａに押し付けることにより、傾斜角度αを小さく調整することも容易に行える。なお、図４（Ｂ）の実線で示すスマートフォンＰの傾斜角度αよりも大きく調整することも可能である。
【００３１】
このように、実施形態１の支持具１Ａによれば、スマートフォンＰを縦置きまたは横置きに支持できるだけでなく、支持具１Ａが付いたスマートフォンＰを卓上に置くだけで、スマートフォンＰの画面（表て面Ｐａ）が視やすくなる傾斜角度αに無段階で微調整することができる。さらに言えば、図５に示すように、実施形態１の支持具１ＡはスマートフォンＰを全方位に傾けて支持することができる。
【００３２】
図６は実施形態１の支持具１Ａを介してスマートフォンＰを左手で持った状態を示す説明図である。
支持具１Ａを用いて卓上に立てかけたスマートフォンＰを左手Ｈで取り上げ、右手でタッチパネルを操作する場合、スマートフォンＰに吸着した支持具１Ａは邪魔にならない。つまり、図６に示すように、左手Ｈの手のひらとスマートフォンＰの裏面Ｐｂとの間に袋体２Ａがフィットするため、左手Ｈの５本の指でスマートフォンＰの外周部を持っても違和感がない。
【００３３】
しかも、この状態は、スマートフォンＰを左手Ｈで安定して持つことができるため、好都合である。さらに、スマートフォンＰのタッチパネル操作時の指圧が袋体２Ａのクッション性によって適度に逃がされるため、過度な指圧からタッチパネルを保護することもできる。よって、支持具１Ａを常にスマートフォンＰに吸着させた状態にしておいてもよく、これにより支持具１Ａの紛失を防止することもできる。
【００３４】
（実施形態２）
図７は実施形態２の支持具の正面図である。なお、図７において、図１〜図６中の要素と同様の要素には同一の符号を付している。
実施形態２の支持具１Ｂは、実施形態１と同様に、内部に粒子状の充填材が充填された袋体２Ｂと、袋体２Ｂに取り付けられた吸盤部材３とを備えているが、袋体２Ｂを構成する袋が実施形態１とは異なる。
【００３５】
実施形態２の場合、袋体２Ｂの袋は、吸盤部材３が取り付けられる一方の生地２Ｂ1と、吸盤部材３が取り付けられない他方の生地２Ｂ2とが縫い合わされてなる。一方の生地２Ｂ1は実施形態１と同じ伸縮性の生地であるが、他方の生地２Ｂ2はクリーニングシートからなる。このクリーニングシートは、スマートフォンやタブレット型端末のタッチパネルに付着した指紋、手垢、油脂等を除去する市販のクリーニングシートを用いることができる。
【００３６】
実施形態２の支持具１Ｂによれば、スマートフォンを卓上で支持するために用いられることに加えて、スマートフォンを卓上に立てかけないときに支持具１Ｂのクリーニングシート材（生地２Ｂ2）にてスマートフォンのタッチパネルをクリーニングすることができる。なお、実施形態１で説明した全体が伸縮性の生地からなる袋の一部分にクリーニングシートを縫合または接着してもよい。
【００３７】
（実施形態３）
図８は実施形態３の支持具の正面図である。なお、図８において、図１〜図６中の要素と同様の要素には同一の符号を付している。
実施形態３の支持具１Ｃは、実施形態１で用いられた袋体２Ａおよび吸盤部材３を備えているが、袋体２Ａに滑り止め部材としての滑り止めシート材４ａが設けられている点が実施形態１とは異なる。
【００３８】
滑り止めシート材４ａは、滑り止め性に優れたエラストマー（各種のゴム）や発泡樹脂等からなり、例えば、シリコーンゴムシートや発泡塩化ビニール樹脂シートが用いられ、これらは市販されている。実施形態３では、円形の滑り止めシート材４ａが、袋作製前の一方の円形生地に接着または縫合されている場合を例示したが、滑り止めシート材４ａの形状は特に限定されない。なお、袋作製前の他方の円形生地には吸盤部材３が取り付けられる。
実施形態３の支持具１Ｃによれば、スマートフォンを卓上で支持する際、滑り止めシート材４ａによって袋体２Ａの卓上での滑りが抑制されるため、スマートフォンを卓上でより安定的に支持することができる。
【００３９】
（実施形態４）
図９は実施形態４の支持具の正面図である。なお、図９において、図１〜図６中の要素と同様の要素には同一の符号を付している。
実施形態４の支持具１Ｄは、実施形態３で用いられた滑り止めシート材４ａ（図８参照）の代わりに、複数個の滑り止め半球部材４ｂが用いられている。実施形態４において、その他は実施形態３と同様である。
【００４０】
滑り止め半球部材４ｂの材質は、実施形態３で用いられた滑り止めシート材４ａと同じ材質とすることができる。なお、滑り止め半球部材４ｂとしては、直径２〜１０ｍｍ程度の市販品を用いることができる。
実施形態４の支持具１Ｄも、実施形態３と同様に、滑り止め半球部材４ｂによる袋体２Ａの滑り止め効果を得ることができる。
【００４１】
（実施形態５）
図１０（Ａ）は実施形態５の支持具を示す平面図であり、図１０（Ｂ）は実施形態５の支持具の正面図であり、図１０（Ｃ）は実施形態５の支持具の底面図である。なお、図１０（Ｂ）において、符号２０ａは縫い目である。
【００４２】
実施形態５では、タブレット型端末用の支持具１０を例示している。この支持具１０は、まんじゅう形の袋内に充填材が封入されてなる変形可能な袋体２０と、袋体２０に設けられた密着部材としての滑り止めシート材３０とを備える。
【００４３】
実施形態５において、袋体２０を構成する袋の生地および充填材は、実施形態１と同じ材質のものを使用することができる。但し、実施形態５の場合、タブレット型端末の大きさにもよるが、袋体２０は、１８０〜４２００ｃｍ3程度の体積を有するサイズが適当であるため、生地の大きさとしては、直径８〜２０ｃｍ程度が適当である。
【００４４】
滑り止めシート材３０は、シリコーンゴム製シートを円形にカットしたものであり、袋作製前の一方の円形生地に接着剤にて接着されている。この場合、滑り止めシート材３０の直径としては５〜１５ｃｍが適当である。なお、滑り止めシート材３０の形状は特に限定されず、円形以外にも、例えば、三角形、四角形、五角形等の多角形、楕円形、瓢箪形、ハート形、星形、動物や漫画キャラクターの輪郭などでもよい。
【００４５】
また、滑り止めシート材３０は、タブレット型端末の裏面と密着して滑り止めすること以外に、絵、文字、記号、図形、ロゴ等を表示するラベルとしての役割が付加されてもよい。この場合、例えば、絵、文字、記号、図形、ロゴ等が印刷された樹脂シート（例えば、ポリエステル樹脂シート）の印刷面に透明の滑り止め材（例えば、透明シリコーン樹脂）をコーティングしてなる滑り止めシート材を用意し、この滑り止めシート材を袋作製前の一方の生地に熱圧着（融着）する。このような滑り止めシート材を支持具１０に用いれば、支持具１０を企業の販促グッズとして活用することもできる。なお、前述の実施形態３における滑り止めシート材４ａ（図８参照）もこのように構成してもよい。
【００４６】
図１１は実施形態５の支持具１０を用いてタブレット型端末ＪをリビングのテーブルＴ上に立てかけた状態を示す説明図である。なお、図１１では、タブレット型端末Ｊを縦置きする場合を説明するが、横置きする場合も同様である。
リビングのソファーＳで腰掛けながらタブレット型端末Ｊにて動画を視聴する場合、リビングの低いテーブルＴ上にタブレット型端末Ｊを立てかけることになる。この際、実施形態５の支持具１０をテーブルＴ上に置き、タブレット型端末Ｊを支持具１０に凭れかけさせることにより、支持具１０によりタブレット型端末Ｊが所定の傾斜角度αで傾いた状態で支持される。このとき、滑り止めシート材３０がタブレット型端末Ｊの裏面Ｊｂと密着するため、タブレット型端末Ｊは滑り止めシート材３０に対して位置ずれしない。
【００４７】
また、図１１において、二点鎖線で示すように、タブレット型端末Ｊを袋体２０に押し付けることにより、傾斜角度αを小さく調整することも容易に行える。さらに、図１１の実線で示すタブレット型端末Ｊの傾斜角度αよりも大きく調整することも可能である。すなわち、タブレット端末Ｊを袋体２０の上に置き直すだけで傾斜角度αを無段階で調整することができる。
このように、実施形態５の支持具１０によれば、タブレット型端末Ｊの画面（表て面Ｊａ）の位置よりも視聴者（ユーザー）Ｕの目の位置が大幅に高くなっても、画面を正面から視ることができる。また、図５で説明したように、実施形態２の支持具１０もタブレット型端末Ｊを全方位に傾けて支持することができる。
【００４８】
（他の実施形態）
１．実施形態５のタブレット型端末用の支持具１０も、実施形態２および３（図７および８）と同様に、袋体２０における滑り止めシート材３０（密着部材）の位置と反対側の位置に、クリーニングシートまたは滑り止めシート材を設けてもよい。
２．袋体の平面視形状は、実施形態１〜５のように円形に限定されるものではなく、例えば、楕円形、ハート形、栗形、ラグビーボール形等の円形に近い形でもよい。さらには、袋体の縫い目部分にひだを付けて動物や漫画キャラクターの顔の輪郭を形成してもよい。
【符号の説明】
【００４９】
１Ａ、１Ｂ、１Ｃ、１Ｄ、１０  支持具
２Ａ、２Ｂ、２０  袋体
３  吸盤部材（密着部材）
４ａ  滑り止めシート材
４ｂ  滑り止め半球部材
３０  滑り止めシート材（密着部材）
４０  滑り止めシート材
Ｊ  タブレット型端末
Ｊａ、Ｐａ  裏面
Ｐ  スマートフォン
【図１】
2014103444.tif 000003
【図２】
2014103444.tif 000004
【図３】
2014103444.tif 000005
【図４】
2014103444.tif 000006
【図５】
2014103444.tif 000007
【図６】
2014103444.tif 000008
【図７】
2014103444.tif 000009
【図８】
2014103444.tif 000010
【図９】
2014103444.tif 000011
【図１０】
2014103444.tif 000012
【図１１】
2014103444.tif 000013
【手続補正書】
【提出日】平成24年12月12日(2012.12.12)
【手続補正１】
【補正対象書類名】明細書
【補正対象項目名】００１３
【補正方法】変更
【補正の内容】
【００１３】
【図１】本発明の携帯情報端末用支持具の実施形態１を示す図であって、（Ａ）は平面図であり、（Ｂ）は実施形態１の支持具の正面図であり、（Ｃ）は実施形態１の支持具の底面図である。
【図２】実施形態１の支持具をスマートフォンの裏面に貼り付けた状態を示す説明図である。
【図３】実施形態１の支持具を用いてスマートフォンをオフィスのデスク上に立てかけた状態を示す説明図である。
【図４】実施形態１の支持具の使用状態を示す説明図であって、（Ａ）はスマートフォンを縦置きした状態を示し、（Ｂ）はスマートフォンを横置きした状態を示す。
【図５】実施形態１の支持具がスマートフォンを全方位に傾けて支持できることを説明する図である。
【図６】実施形態１の支持具を介してスマートフォンを左手で持った状態を示す説明図である。
【図７】実施形態２の支持具の正面図である。
【図８】実施形態３の支持具の正面図である。
【図９】実施形態４の支持具の正面図である。
【図１０】実施形態５の支持具を示す図であって、（Ａ）は平面図であり、（Ｂ）は正面図であり、（Ｃ）は実施形態５の支持具の底面図である。
【図１１】実施形態５の支持具を用いてタブレット型端末をリビングのテーブル上に立てかけた状態を示す説明図である。
【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
袋内に粒子状の充填材が封入されてなる変形可能な略球形の袋体と、タッチパネル方式の携帯情報端末の裏面と密着可能に前記袋体に設けられた密着部材とを備え、
携帯情報端末の裏面に前記密着部材を直に密着させた状態の前記袋体にて携帯情報端末を全方位に様々な傾斜角度で支持可能に構成されたことを特徴とする携帯情報端末用支持具。
【請求項２】
前記密着部材が、前記袋体の外面に取り付けられた吸盤部材からなる請求項１に記載の携帯情報端末用支持具。
【請求項３】
前記密着部材が、前記袋体の外面に貼り付けられた滑り止めシート材からなる請求項１に記載の携帯情報端末用支持具。
【請求項４】
前記携帯情報端末が、タッチパネル方式の携帯電話であり、
前記袋体が、１５〜１８０ｃｍ3の体積を有する請求項２に記載の携帯情報端末用支持
具。
【請求項５】
前記携帯情報端末が、タッチパネル方式のタブレット型端末であり、
前記袋体が、１８０〜４２００ｃｍ3の体積を有する請求項３に記載の携帯情報端末用支持具。
【請求項６】
前記袋体が、前記密着部材の位置と反対側の位置にクリーニングシート材を有する請求項１〜５いずれか１つに記載の携帯情報端末用支持具。
【請求項７】
前記袋体が、前記密着部材の位置と反対側の位置に滑り止め部材を有する請求項１〜６いずれか１つに記載の携帯情報端末用支持具。
【請求項８】
前記袋における少なくとも前記密着部材側が伸縮性の生地からなる請求項１〜７のいずれか１つに記載の携帯情報端末用支持具。
【手続補正２】
【補正対象書類名】明細書
【補正対象項目名】００１１
【補正方法】変更
【補正の内容】
【００１１】
かくして、本発明によれば、袋内に粒子状の充填材が封入されてなる変形可能な略球形の袋体と、タッチパネル方式の携帯情報端末の裏面と密着可能に前記袋体に設けられた密着部材とを備え、
携帯情報端末の裏面に前記密着部材を直に密着させた状態の前記袋体にて携帯情報端末を全方位に様々な傾斜角度で支持可能に構成された携帯情報端末用支持具が提供される。
【手続補正３】
【補正対象書類名】明細書
【補正対象項目名】００１２
【補正方法】変更
【補正の内容】
【００１２】
本発明の携帯情報端末用支持具によれば、内部に粒子状の充填材が封入された略球形の袋体はクッションのように自由に変形できるため、タッチパネル方式の携帯情報端末の裏面に密着部材を直に密着させた状態で、袋体にて携帯情報端末を全方位に様々な傾斜角度で支持することができる。すなわち、本発明の支持具によれば、支持具の上に携帯情報端末を置くだけで、携帯情報端末の傾斜角度を自由かつ容易に無段階で調整することができる。
また、本発明の支持具は携帯情報端末を安定して支持することができるため、支持具上に携帯情報端末を置いたままタッチパネル操作をすることが可能である。
また、この支持具は簡素な構成であるため、低コストにて製造できるメリットもある。
【手続補正４】
【補正対象書類名】明細書
【補正対象項目名】００１４
【補正方法】変更
【補正の内容】
【００１４】
本発明の携帯情報端末用支持具は、袋内に粒子状の充填材が封入されてなる変形可能な略球形の袋体と、タッチパネル方式の携帯情報端末の裏面と密着可能に前記袋体に設けられた密着部材とを備え、携帯情報端末の裏面に前記密着部材を直に密着させた状態の前記袋体にて携帯情報端末を全方位に様々な傾斜角度で支持可能に構成されている。